(57)【特許請求の範囲】
【請求項１】
真偽判定を図りたいホログラムに重ね合わせて、双方のホログラムの表示パターンを比較して真偽判定を行うホログラム・チェック用プレートにおいて、
前記ホログラム・チェック用プレートが半透明のホログラムを用いたチェック用プレートであって、偽造防止ホログラムとホログラム・チェック用プレートに、全く同じ位置関係となる表示パターンが記録されており、偽造防止ホログラムとホログラム・チェック用プレートを重ね合わせて、白色光によりそれらのパターンを記録時と同じ条件で再生し観察した時に、色の相違からチェックできることを特徴とするホログラム・チェック用プレート。
【請求項２】
前記ホログラムおよびホログラム・チェック用プレートを重ね合わせた時に、白色の再生パターンが得られることを特徴とする請求項１記載のホログラム・チェック用プレート。
【発明の詳細な説明】
【０００１】
【発明の属する技術分野】
本発明は、カードや有価証券などに用いられるセキュリティ用ホログラムの真偽判定に用いるツールに係わり、特に、ホログラムに重ね合わせて真偽判定を行うホログラム・チェック用プレートで、重ね合わせた時の真正品と模造品との違いを容易に、かつ明確に判定できる技術に関するものである。
【０００２】
【従来の技術】
従来より、偽造防止用としてカード類や有価証券類などでエンボスホログラムが広く用いられてきていたが、最近、模造品のホログラムを用いた偽造品でてきていることから、これらのホログラムの真偽判定を行うことが重要になってきている。
このために、ホログラムの真偽判定を行うための一つのツールとして、真偽判定を行いたいホログラムに重ねて、画像の線の繋がりや重なり具合などから真偽判定を行うホログラム・チェック用プレートが提案されている。
このホログラム・チェック用プレートは、特願平１１―３４６４７８などに記載されているようなものであり、例えば、図５に示すように、ハーフミラー状の蒸着を施した半透明のホログラム１を透明な板２に貼ったようなものである。
このホログラム・チェック用プレート３を真偽判定が必要なホログラムに重ね合わせると、真偽判定するホログラムが真正のホログラム４である場合には、図６に示すように、両者の画像が一致するのに対して、模造品ホログラム５の場合には、図７に示すように、２つの像がずれて重なり合い２重像のようになる。
このため、ホログラム・チェック用プレートと真偽判定するホログラムの像が一致して重なっているかどうかを見ることで、容易にホログラムの真偽判定を行うことができる。
【０００３】
【発明が解決しようとする課題】
しかしながら、例えば、図８に示すように、精巧な模造ホログラム６を作られた場合には、２重像のずれ量が小さく、違いが判り難いという問題点があった。
また、例えば、図９に示すように、星空パターンなどのようなランダム性のある画像７や、複雑なパターンのホログラム・チェック用プレート８の場合に、例えば図１０に示すように、模造品ホログラム９に重ねた場合にも違和感がなく重なり、判別が行い難いという問題点があった。
【０００４】
本発明は、上記の問題点を解決するためになされたものであり、偽造防止ホログラムとホログラム・チェック用プレートを重ね合わせて、白色光によりそれらのパターンを記録時と同じ条件で再生し観察した時に、パターンのずれを色の相違としてチェックでき、ホログラムの真偽判定を容易にできるホログラム・チェック用プレートを提供することを目的とするものである。
【０００５】
【課題を解決するための手段】
上記目的を達成するために、請求項１に係る発明は、真偽判定を図りたいホログラムに重ね合わせて、双方のホログラムの表示パターンを比較して真偽判定を行うホログラム・チェック用プレートにおいて、
前記ホログラム・チェック用プレートが半透明のホログラムを用いたチェック用プレートであって、偽造防止ホログラムとホログラム・チェック用プレートに、全く同じ位置関係となる表示パターンが記録されており、偽造防止ホログラムとホログラム・チェック用プレートを重ね合わせて、白色光によりそれらのパターンを記録時と同じ条件で再生し観察した時に、色の相違からチェックできることを特徴とするホログラム・チェック用プレートである。
【０００６】
請求項２に係る発明は、請求項１記載のホログラム・チェック用プレートにおいて、前記ホログラムおよびホログラム・チェック用プレートを重ね合わせた時に、白色の再生パターンが得られることを特徴とする。
【０００７】
【発明の実施の形態】
以下、本発明のホログラム・チェック用プレートの望ましい一実施例として、図面を用いて詳細に説明する。
図１（ａ）は、本発明のホログラム・チェック用プレートの一例を示す概略図である。また、図１（ｂ）は、このチェック用プレートに対応した偽造防止用ホログラムの一例を示す概略図である。
図１（ａ）に示したホログラム・チェック用プレート１０と図１（ｂ）に示した偽造防止用ホログラム１１とは、全く同じ位置に像を再生するが、特定の位置から見た時にホログラム・チェック用プレート１０からは赤色の再生画像が、偽造防止用ホログラム１１からは青緑色の再生画像が観察されるようになっている。
【０００８】
このようなホログラムは、例えば次のような工程により作成される。
まず、図３のような光学系を用いて赤色レーザー光で白黒の被写体１２の画像を乾板１３上にフレネルホログラムとして撮影する。また、同じ図３の光学系で、こんどは青緑色レーザー光により別の乾板１４上にフレネルホログラムを撮影する。なお、この時に、赤色レーザー光源１５としては例えばＨｅＮｅレーザーの６３３ｎｍの光、青緑レーザー光源１６としては例えば、Ａｒレーザー光源の４８８ｎｍに光などを用いることができる。
【０００９】
次に、赤色レーザー光で記録したフレネルホログラム１３を用いて、図４に示したような光学系により、乾板１７上に赤色レーザー光でレインボウホログラムを記録する。また同じ図４に示した光学系で青緑色レーザー光で記録したフレネルホログラム１４を用いて、別の乾板１８上に青緑色レーザー光でレインボウホログラムを記録する。
【００１０】
このようにして赤および青緑のレーザー光で作成したレインボウホログラムは、作成時の参照光の反対の方向から白色光で照明すると、正面からそれぞれ赤色、青緑色で同じ位置に再生像が観察できるホログラムとなっている。
【００１１】
これらのレインボウホログラムを元にしてそれぞれエンボスホログラムを作成し、赤色レーザー光のホログラムから作成したエンボスホログラムにハーフミラー状の蒸着を施したものがホログラム・チェック用プレート１０になる。
【００１２】
一方、青緑色のレーザー光で作成したホログラムから作成したエンボスホログラムに蒸着を施したものが対応する偽造防止用のホログラム１１になる。
【００１３】
このような偽造防止用ホログラム１１に、ホログラム・チェック用プレート１０を重ね合わせて白色光で再生し観察すると、偽造防止用ホログラム１１からの青緑色の像と、ホログラム・チェック用プレート１０の赤色の像が同じ位置に重なって観察されるため、図１（ｃ）に示すように、全体が白い像として観察されることになる。
【００１４】
ところが、模造品のホログラム１９に、ホログラム・チェック用プレート１０を重ね合わせた場合には、図１（ｄ）に示すように、位置がずれて重り、ずれた部分は赤や青緑の像として観察されることになる。このため、ずれがわずかであっても彩度の低い白色像の中に、赤や青緑色の像が見られることになるため明確に判別できる。
【００１５】
また、このような形でホログラム・チェック用プレートを作成すると、ランダム性のあるパターンや複雑なパターンなどであっても、例えば図２のように、星空などのずれた部分が赤や青緑の星として観察されるため、模造品であることを容易に判別することが可能になる。
【００１６】
【発明の効果】
以上説明したように、本発明では、偽造防止ホログラムとホログラム・チェック用プレートを重ね合わせて、白色光によりそれらのパターンを記録時と同じ条件で再生し観察した時に、パターンのずれを色の相違としてチェックでき、ホログラムの真偽判定を容易にできるホログラム・チェック用プレートを提供することができる。
【図面の簡単な説明】
【図１】（ａ）本発明のホログラム・チェック用プレートの一例を示す概略図
（ｂ）図７のチェック用プレートに対応した偽造防止用ホログラムの一例を示す概略図
（ｃ）本発明のホログラム・チェック用プレートを真正のホログラムに重ねた場合の一例を示す概略図
（ｄ）本発明のホログラム・チェック用プレートを模造品のホログラムに重ねた場合の一例を示す概略図
【図２】本発明のランダム性をもつパターンの場合のホログラム・チェック用プレートを模造品のホログラムに重ねた場合の一例を示す概略図
【図３】本発明のホログラム・チェック用プレートの作成工程の一例を示す概略図
【図４】本発明のホログラム・チェック用プレートの作成工程の一例を示す概略図
【図５】従来のホログラム・チェック用プレートの一例を示す概略図
【図６】従来のホログラム・チェック用プレートを真正のホログラムに重ねた場合の一例を示す概略図
【図７】従来のホログラム・チェック用プレートを模造品のホログラムに重ねた場合の一例を示す概略図
【図８】従来のホログラム・チェック用プレートを精巧な模造品のホログラムに重ねた場合の一例を示す概略図
【図９】従来のランダム性をもつパターンの場合のホログラム・チェック用プレートを示す概略図
【図１０】従来のランダム性をもつパターンの場合のホログラム・チェック用プレートを模造品のホログラムに重ねた場合の一例を示す概略図
【図１】
0004608769.tif 000002
【図２】
0004608769.tif 000003
【図３】
0004608769.tif 000004
【図４】
0004608769.tif 000005
【図５】
0004608769.tif 000006
【図６】
0004608769.tif 000007
【図７】
0004608769.tif 000008
【図８】
0004608769.tif 000009
【図９】
0004608769.tif 000010
【図１０】
0004608769.tif 000011